【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
操作手段と、
複数の表示を表示可能な表示手段と、
を備えた遊技台であって、
前記操作手段は、押下操作される手段であり、
前記複数の表示のうちの一の表示は、第一の表示であり、
前記複数の表示のうちの一の表示は、第二の表示であり、
前記複数の表示のうちの一の表示は、第三の表示であり、
前記複数の表示のうちの一の表示は、第四の表示であり、
前記第一の表示は、或る予告表示であり、
前記第二の表示は、前記或る予告表示とは別の或る予告表示であり、
前記第三の表示は、遊技者に前記操作手段を連打することを促す表示であり、
前記第四の表示は、複数のボタン画像を含む表示であり、
前記第三の表示の表示が開始された後、前記操作手段が複数回操作されると、前記第一の表示の表示が開始される場合があり、
前記第三の表示の表示が開始された後、前記操作手段が長押しで１回操作されたことのみで、前記第一の表示の表示が開始される場合があり、
前記第四の表示の表示が開始された後、前記操作手段が複数回操作されると、前記第二の表示の表示が開始される場合があり、
前記第四の表示の表示が開始された後、前記操作手段が長押しで１回操作されたことのみでは、前記第二の表示の表示が開始されることはない、
ことを特徴とする遊技台。
【請求項２】
請求項１に記載の遊技台であって、
長押しとは、前記操作手段が操作されている状態が予め定められた時間にわたって維持されていることである、
ことを特徴とする遊技台。
【請求項３】
請求項１又は２に記載の遊技台であって、
前記第三の表示は、連打の文字を含む表示である、
ことを特徴とする遊技台。
【請求項４】
請求項１乃至３のうちいずれか一項に記載の遊技台であって、
前記第三の表示は、一つのボタン画像を含む表示である、
ことを特徴とする遊技台。
【請求項５】
請求項１乃至４のうちいずれか一項に記載の遊技台であって、
前記第三の表示は、残時間表示を含む表示であり、
前記残時間表示は、前記操作手段の操作を受付可能な状態が終了するまでの残り時間の表示である、
ことを特徴とする遊技台。
【請求項６】
請求項１乃至５のうちいずれか一項に記載の遊技台であって、
前記ボタン画像とは、前記操作手段を模した画像のことである、
ことを特徴とする遊技台。
【請求項７】
請求項１乃至６のうちいずれか一項に記載の遊技台であって、
請求項１に記載の「前記第三の表示の表示が開始された後、前記操作手段が複数回操作されると、前記第一の表示の表示が開始される」とは、「第一のメータ表示のメータが、前記操作手段の操作回数に応じて増加し、該第一のメータ表示のメータが満タンになって、前記第一の表示の表示が開始される」ことである、
ことを特徴とする遊技台。
【請求項８】
請求項７に記載の遊技台であって、
前記操作手段を複数回操作しても、前記第一のメータ表示のメータが満タンにならず、前記第一の表示の表示が開始されない場合もある、
ことを特徴とする遊技台。
【請求項９】
請求項１乃至８のうちいずれか一項に記載の遊技台であって、
請求項１に記載の「前記第三の表示の表示が開始された後、前記操作手段が長押しで１回操作されたことのみで、前記第一の表示の表示が開始される」とは、「第二のメータ表示のメータが、前記操作手段の操作を維持している時間の長さに応じて増加し、該第二のメータ表示のメータが満タンになって、前記第一の表示の表示が開始される」ことである、
ことを特徴とする遊技台。
【請求項１０】
請求項９に記載の遊技台であって、
前記操作手段を長押し操作しても、前記第二のメータ表示のメータが満タンにならず、前記第一の表示の表示が開始されない場合もある、
ことを特徴とする遊技台。
【請求項１１】
請求項１乃至１０のうちいずれか一項に記載の遊技台であって、
前記遊技台は、ぱちんこ機である、
ことを特徴とする遊技台。
【請求項１２】
請求項１乃至１０のうちいずれか一項に記載の遊技台であって、
前記遊技台は、スロットマシンである、
ことを特徴とする遊技台。
【手続補正２】
【補正対象書類名】明細書
【補正対象項目名】０００７
【補正方法】変更
【補正の内容】
【０００７】
上記目的を解決する本発明の遊技台は、
操作手段と、
複数の表示を表示可能な表示手段と、
を備えた遊技台であって、
前記操作手段は、押下操作される手段であり、
前記複数の表示のうちの一の表示は、第一の表示であり、
前記複数の表示のうちの一の表示は、第二の表示であり、
前記複数の表示のうちの一の表示は、第三の表示であり、
前記複数の表示のうちの一の表示は、第四の表示であり、
前記第一の表示は、或る予告表示であり、
前記第二の表示は、前記或る予告表示とは別の或る予告表示であり、
前記第三の表示は、遊技者に前記操作手段を連打することを促す表示であり、
前記第四の表示は、複数のボタン画像を含む表示であり、
前記第三の表示の表示が開始された後、前記操作手段が複数回操作されると、前記第一の表示の表示が開始される場合があり、
前記第三の表示の表示が開始された後、前記操作手段が長押しで１回操作されたことのみで、前記第一の表示の表示が開始される場合があり、
前記第四の表示の表示が開始された後、前記操作手段が複数回操作されると、前記第二の表示の表示が開始される場合があり、
前記第四の表示の表示が開始された後、前記操作手段が長押しで１回操作されたことのみでは、前記第二の表示の表示が開始されることはない、
ことを特徴とする。
【手続補正３】
【補正対象書類名】明細書
【補正対象項目名】１２７０
【補正方法】変更
【補正の内容】
【１２７０】
（２２）連打操作演出が開始された後で、長押し操作が行われ、その状態で長押し操作演出が開始された場合は、長押しオート連打機能が有効となって、連打操作演出についての操作の結果に関する演出のみが実行され、長押し操作が一旦解除されない限りでは、長
押し操作演出についての操作の結果に関する演出については実行されない。又は、連打操作演出についての操作の結果に関する演出及び長押し操作演出についての操作の結果に関する演出の両方が実行される。また、連打操作演出が開始された後で、連打操作が行われ、その状態で長押し操作演出が開始された場合は、連打操作演出についての操作の結果に関する演出が実行され、長押し操作演出については、例えば、演出ボタン１３６ｅの押下累積時間に応じた演出が実行される等、それなりに演出が進む場合がある。
以上の記載では、
『  操作手段と、
複数の表示を表示可能な表示手段［例えば、装飾図柄表示装置２０８］と、
を備えた遊技台であって、
前記操作手段は、押下操作される手段［例えば、チャンスボタン１３６］であり、
前記複数の表示のうちの一の表示は、第一の表示であり、
前記複数の表示のうちの一の表示は、第二の表示であり、
前記複数の表示のうちの一の表示は、第三の表示であり、
前記複数の表示のうちの一の表示は、第四の表示であり、
前記第一の表示は、或る予告表示［例えば、連打メーターＲＤのゲージが満タンとなって行われる、カットイン画像等の予告表示や、大当りとなることを予告する報知］であり、
前記第二の表示は、前記或る予告表示とは別の或る予告表示［例えば、図６８（ｐ）に示す第三のカットイン画像ＣＩ３］であり、
前記第三の表示は、遊技者に前記操作手段を連打することを促す表示［例えば、図７５（ｄ）〜同図（ｇ）や、図７６（ｄ）〜同図（ｇ）に示されるように、連打操作演出において、演出ボタン画像ＢＴとともに「連打しろ」という文字が画面の中央に表示される表示］であり、
前記第四の表示は、複数のボタン画像を含む表示［例えば、図６８（ａ）〜同図（ｂ）に示されるように、演出ボタン画像ＢＴ１〜ＢＴ３とともに「ＰＵＳＨ」という文字表示が表示される表示等］であり、
前記第三の表示の表示が開始された後、前記操作手段が複数回操作［例えば、図７５に示す演出ボタン１３６ｅの複数回の操作（連打操作）］されると、前記第一の表示の表示が開始される場合があり、
前記第三の表示の表示が開始された後、前記操作手段が長押しで１回操作［例えば、図７６に示す演出ボタン１３６ｅの長押し操作］されたことのみで、前記第一の表示の表示が開始される場合があり、
前記第四の表示の表示が開始された後、前記操作手段が複数回操作されると、前記第二の表示の表示が開始される場合があり［例えば、図６８（ｐ）］、
前記第四の表示の表示が開始された後、前記操作手段が長押しで１回操作されたことのみでは、前記第二の表示の表示が開始されることはない［例えば、長押しオート連打機能を無効にしてある場合で図６８（ａ）に示す状態になった後の演出例］、
ことを特徴とする遊技台。』
について説明した。
また、
『  長押しとは、前記操作手段が操作されている状態が予め定められた時間にわたって維持されていること［例えば、図７６（ｄ）〜(同（ｇ）］である、
ことを特徴とする遊技台。』
についても説明した。
また、
『  前記第三の表示は、連打の文字を含む表示［例えば、図７５（ｄ）〜同図（ｇ）や図７６（ｄ）〜同図（ｇ）に示す「連打しろ」という文字を含む表示］である、
ことを特徴とする遊技台。』
についても説明した。
また、
『  前記第三の表示は、一つのボタン画像［例えば、図７５（ｄ）〜同図（ｇ）や図７６（ｄ）〜同図（ｇ）に示す演出ボタン画像ＢＴ］を含む表示である、
ことを特徴とする遊技台。』
についても説明した。
また、
『  前記第三の表示は、残時間表示を含む表示であり、
前記残時間表示は、前記操作手段の操作を受付可能な状態が終了するまでの残り時間の表示［例えば、残時間メーターＭＴの表示］である、
ことを特徴とする遊技台。』
についても説明した。
また、
『  前記ボタン画像とは、前記操作手段を模した画像［例えば、演出ボタン画像ＢＴ，ＢＴ１〜ＢＴ３］のことである、
ことを特徴とする遊技台。』
についても説明した。
また、
『  上に記載の「前記第三の表示の表示が開始された後、前記操作手段が複数回操作されると、前記第一の表示の表示が開始される」とは、「第一のメータ表示style='color:green'>［例えば、図７５に示す連打メーターＲＤ］のメータが、前記操作手段の操作回数に応じて増加しstyle='color:green'>［例えば、図７５（ｅ）では１目盛、同図（ｆ）では２目盛、同図（ｇ）では３目盛まで増加］、該第一のメータ表示のメータが満タンになって、前記第一の表示の表示が開始される」ことである、lang=EN-US>ことを特徴とする遊技台。』
についても説明した。
また、
『  前記操作手段を複数回操作しても、前記第一のメータ表示のメータが満タンにならず、前記第一の表示の表示が開始されない場合もあるstyle='color:green'>［例えば、図７５（ｈ）］、ことを特徴とする遊技台。』
についても説明した。
また、
『  上に記載の「前記第三の表示の表示が開始された後、前記操作手段が長押しで１回操作されたことのみで、前記第一の表示の表示が開始される」とは、「第二のメータ表示style='color:green'>［例えば、図７６に示す連打メーターＲＤ］のメータが、style='font-size:11.0pt;font-family:"ＭＳ 明朝";mso-bidi-font-family:"ＭＳ 明朝"'>前記操作手段の操作を維持している時間の長さに応じてstyle='font-size:11.0pt;font-family:"ＭＳ 明朝"'>増加し［例えば、図７６（ｅ）では１目盛、同図（ｆ）では２目盛、同図（ｇ）では４目盛まで増加］、該第二のメータ表示のメータが満タンになって、前記第一の表示の表示が開始される」ことである、lang=EN-US>ことを特徴とする遊技台。』
についても説明した。
また、
『  前記操作手段を長押し操作しても、前記第二のメータ表示のメータが満タンにならず、前記第一の表示の表示が開始されない場合もあるstyle='color:green'>［例えば、図７６（ｈ）］、ことを特徴とする遊技台。』
についても説明した。
また、
『  前記遊技台は、ぱちんこ機［例えば、図５６等に示すパチンコ機１００］である、
ことを特徴とする遊技台。』
についても説明した。
また、
『  前記遊技台は、スロットマシン［例えば、図２８０に示すスロットマシン１０００］である、
ことを特徴とする遊技台。』
についても説明した。